(57)【特許請求の範囲】
【請求項１】
壁面に設置される鏡の少なくとも左右一方の縦縁と隣接するように設置され、シャワーホースを着脱自在に嵌合させるための嵌合溝部を正面に凹設し、この嵌合溝部の開口側を覆ってシャワーホースの抜け止めをする留め部材を具備することを特徴とする鏡横化粧縁。
【発明の詳細な説明】
【技術分野】
【０００１】
本発明は、鏡の縦縁に装着される鏡横化粧縁に関する。
【背景技術】
【０００２】
図４には、例えば特許文献１にも開示されるような一般的な浴室内のシャワー周辺の設備を示している。図示のように、浴室の壁面１には鏡２が設置されており、この鏡２の下方から可撓性のシャワーホース３が延設されている。壁面１の鏡２が設置される個所の側方にはシャワーフック４が設置してあり、シャワーホース３の先端に装着されるシャワーヘッド５を上記シャワーフック４に係止させるようにしている。なお、図中の符号１０は、鏡２の左右縦縁に隣接するように設置される一対の鏡横化粧縁である。
【０００３】
上記した従来の設備においては、特にシャワーホース３が大きくうねる状態となったときに鏡２と重なる場合があり、この場合には、鏡２を利用する使用者にとって非常に邪魔になるという問題がある。この問題を解決するためには、例えばシャワーホース３の一部を係止する部材を壁面１に設置することが考えられる。しかし、このように特別な部材を用意して壁面１に設置する構造では、設置の手間が必要になるとともに見栄えも悪くなるという問題がある。
【特許文献１】特開２００５−０５２５８０号公報
【発明の開示】
【発明が解決しようとする課題】
【０００４】
本発明は上記問題点に鑑みて発明したものであって、通常の装飾的な機能を有するだけでなく、シャワーホースが鏡に重ならないように嵌合係止させる機能をも併せ持つ鏡横化粧縁を提供することを、課題とするものである。
【課題を解決するための手段】
【０００５】
上記課題を解決するための本発明は、壁面１に設置される鏡２の少なくとも左右一方の縦縁と隣接するように設置され、シャワーホース３を着脱自在に嵌合させるための嵌合溝部７を正面に凹設し、この嵌合溝部７の開口側を覆ってシャワーホース３の抜け止めをする留め部材２０を具備することを特徴とする鏡横化粧縁１０である。
【０００６】
このような鏡横化粧縁１０とすることで、シャワーホース３を嵌合溝部７内に嵌合させておけば鏡２に重なって邪魔になることがなく、鏡２を利用する使用者に不快感を与えることが防止される。また、シャワーホース３が収納されることでシャワー周辺の設備全体もすっきりと整理される。更に、このようにするために特別な部材を設ける必要がないので、設置の手間が不要になるとともに、見栄えの点でも良好となる。
【０００８】
また、上記鏡横化粧縁１０にあっては、嵌合溝部７の開口側を覆ってシャワーホース３の抜け止めをする留め部材２０を具備するので、使用中等にシャワーホース３が嵌合溝部７から不意に抜けてしまうといった事態が更に確実に防止される。
【発明の効果】
【０００９】
請求項１に係る発明は、装飾的な機能を有する鏡横化粧縁を利用して、シャワーホースを鏡と重ならないように嵌合させておくことができ、このようにするために特別な部材を設ける必要がないので、設置の手間が不要であるとともに見栄えの点でも良好となるといった効果を奏する。
【００１０】
また請求項１に係る発明は、上記の効果に加えて、使用中等にシャワーホースが嵌合溝部から不意に抜けてしまうといった事態が更に確実に防止されるという効果を奏する。
【発明を実施するための最良の形態】
【００１１】
以下、本発明を添付図面に示す実施形態に基づいて説明する。図１〜図３には、本発明の実施形態における一例の鏡横化粧縁１０を示している。なお、本例の構成のうち、図４にて示した構成と同様のものについては同一符号を付してある。
【００１２】
本例にあっては、鏡２の左右両端の一直線状の縦縁と隣接するように、上下方向に細長い正面視長方形状の鏡横化粧縁１０を壁面１に固定させている。鏡横化粧縁１０は、固定具６を用いて壁面１に固着される背面板１１と、背面板１１を正面側から覆う姿勢で該背面板１１に係止される化粧カバー１２とで主体を形成している。
【００１３】
化粧カバー１２の正面には、シャワーホース３を着脱自在に嵌合させるための嵌合溝部７を凹設している。嵌合溝部７は水平断面において断面半円状を成すものであり、化粧カバー１２の下端から上端に至るまで上下方向に一直線状に形成されている。なお、嵌合溝部７の径は、シャワーホース３の外径と略一致するように設けてある。
【００１４】
化粧カバー１２の正面における嵌合溝部７の左右両側端からは、弾性を有する係止片８が正面側に向けてレール状に突設されている。係止片８の先端には、外方に向けて屈曲したフック９が設けてある。
【００１５】
また、この鏡横化粧縁１０の化粧カバー１２には、弾性を有する半割り円筒状の留め部材２０が装着される。この留め部材２０の周方向の両端には、内方に向けて屈折したフック２１が設けてあり、両端のフック２１が対応する係止片８先端のフック９と弾性的に係合することで、着脱自在に装着されるようになっている。更に、留め部材２０の内面の周方向中央部には、凸状の押さえ部２２が設けてある。
【００１６】
上記構成の鏡横化粧縁１０によれば、鏡２の下方から延設される可撓性のシャワーホース３を嵌合溝部７内に押し込むと、シャワーホース３は嵌合溝部７内に弾性的に嵌合して位置決めされ、側方にうねって隣接する鏡２と重なることが防止される。嵌合溝部７は、鏡２の縦縁と平行に形成されており、例えば図１に示すように嵌合溝部７の下端から上側に向けて全体の２／３程度までシャワーホース３を嵌入させることで、鏡２と重なることは確実に防止される。
【００１７】
そして、嵌合溝部７内にシャワーホース３を嵌合させた状態において、嵌合溝部７の開口側を覆うように留め部材２０を装着すると、留め部材２０の内面の押さえ部２２先端がシャワーホース３に押し当たり、シャワーホース３の抜け止めが更に確実になされる。特に、シャワーフック４を低い位置に設けた場合にはシャワーホース３が嵌合溝部７から抜け易くなるので、押さえ部２２による抜け止めが有効である。
【００１８】
留め部材２０を外側から掴んで外力を加えれば、該留め部材２０のフック２１周辺が外側に撓むとともに、鏡横化粧縁１０の係止片８が内側に撓む。これにより、留め部材２０は容易に係合を解除して取り外し可能であり、嵌合溝部７に沿った上下方向の任意位置に装着自在となっている。
【００１９】
また、留め部材２０を装着した状態のままで上下方向に外力を加えれば、留め部材２０は上下方向に伸びるレール状の係止片８との係合を維持したまま、該係止片８に沿って上下にスライド自在となる。留め部材２０の外面の上下方向中央部には鍔状の凸片２３を設けているので、この凸片２３に指を当てて上下方向に外力を加えればよい。
【００２０】
したがって、嵌合溝部７内からシャワーホース３の先端側が抜けて自由に動かすことができるようになる個所を、留め部材２０の着脱又は上下スライドによって自在に変更することができる。留め部材２０が不要であれば、これを取り外し、例えばシャワーホース３を嵌合させることのない嵌合溝部７上部の係止片８に係合させておけばよい。
【００２１】
なお、本例においては、左右一対備える鏡横化粧縁１０の一方にのみ嵌合溝部７を設けているが、両方の鏡横化粧縁１０に嵌合溝部７を設けてあってもよい。
【図面の簡単な説明】
【００２２】
【図１】本発明の実施形態における一例の鏡横化粧枠を備えた浴室設備を示す斜視図である。
【図２】同上の鏡横化粧枠の要部を示す正面図である。
【図３】図２のＡ−Ａ線断面図である。
【図４】従来の一般的な浴室設備を示す斜視図である。
【符号の説明】
【００２３】
１  壁面
２  鏡
３  シャワーホース
７  嵌合溝部
１０  鏡横化粧縁
２０  留め部材
【図１】
0004966144.tif 000002
【図２】
0004966144.tif 000003
【図３】
0004966144.tif 000004
【図４】
0004966144.tif 000005